(57)【要約】      （修正有）【課題】傷口の洗浄の間、カテーテルの潅注チップと共に使用するためのオーバーチューブを提供する。【解決手段】オーバーチューブ１００は管状体１０４を備え、管状体の一部は切断され、管状体の前端部１０２は、管状体の切断部１０６から離れた方向においてテーパー状になっており、管状体に対して約１３０〜１８０度の角度である。オーバーチューブは、オーバーチューブ内に配置される隔壁をさらに備え、隔壁は、オーバーチューブ内に傾斜して配置される。【選択図】図１Ａ
2015171530.tif 000002
【特許請求の範囲】
【請求項１】
傷口の洗浄の間、潅注カテーテルの潅注チップと共に使用するための、管状体を備えるオーバーチューブであって、
前記管状体の一部は切断され、
前記管状体の前端部は、前記管状体の切断部から離れた方向においてテーパー状になっている、オーバーチューブ。
【請求項２】
テーパー状の前記前端部は、前記管状体に対して約１３０〜１７５度の角度である、請求項１に記載のオーバーチューブ。
【請求項３】
前記オーバーチューブ内に配置される隔壁をさらに備える、請求項１に記載のオーバーチューブ。
【請求項４】
前記隔壁は、前記オーバーチューブ内に傾斜して配置される、請求項３に記載のオーバーチューブ。
【請求項５】
切断部を有する前記管状体は、円周の約１／３〜２／３である断面を有する、請求項１に記載のオーバーチューブ。
【請求項６】
前記断面は、円周の約１／２である、請求項５に記載のオーバーチューブ。
【請求項７】
テーパー状の前記前端部の先端および前記隔壁を接続する貫通孔をさらに備える、請求項３に記載のオーバーチューブ。
【請求項８】
テーパー状の前記前端部の先端および傾斜した前記隔壁を接続する貫通孔をさらに備える、請求項４に記載のオーバーチューブ。
【請求項９】
前記管状体の後端の外面の反対側にそれぞれ配置される２つの突出部をさらに備える、請求項７に記載のオーバーチューブ。
【請求項１０】
前記管状体の後端の外面の反対側にそれぞれ配置される２つの突出部をさらに備える、請求項８に記載のオーバーチューブ。
【請求項１１】
前記オーバーチューブは、金属材料またはプラスチック材料から作製される一体成型品である、請求項１に記載のオーバーチューブ。
【請求項１２】
前記金属材料は、ステンレス鋼、チタン、またはステンレス鋼、チタンもしくはその両方を含む合金のいずれかである、請求項１１に記載のオーバーチューブ。
【請求項１３】
前記プラスチック材料は、ポリプロピレン、ポリ塩化ビニルまたは高密度ポリエチレンのいずれかである、請求項１１に記載のオーバーチューブ。
【請求項１４】
請求項１に記載のオーバーチューブと、
潅注カテーテルの潅注チップと、
を備える、傷口の洗浄のためのアセンブリであって、
管状体の切断部により、前記潅注チップを前記切断部内に受け入れることができ、および／または前記切断部から取り除くことができる、アセンブリ。
【発明の詳細な説明】
【技術分野】
【０００１】
関連出願の相互参照
本出願は、本明細書に全体が参照により組み込まれる、２０１４年２月２７日に出願された台湾出願番号１０３１０６６８７号に対する優先権を主張する。
【０００２】
本発明の分野
本発明は、体腔から望ましくない物質を除去し、流体を送達するための吸引−潅注システムにおけるカテーテルの潅注チップと共に使用するための新規オーバーチューブに関する。
【背景技術】
【０００３】
オーバーチューブは、身体の意図した位置に機器を導くのに役立つように手術用機器と共に使用され得る一般的な道具である。したがって、オーバーチューブは、一般に、身体の表面に切開するためのブレードを備える。一例として、腹腔鏡下手術を考慮して、オーバーチューブは、被験体の腹部で切開するために使用され、ドレナージ管または内視鏡などの手術道具が続いて被験体の身体内に導入され得る。
【０００４】
オーバーチューブはまた、ドレナージカテーテルと共に使用され得、その場合、ドレナージカテーテルが最初にオーバーチューブ内に挿入され、次いで身体の切開が、挿入されるドレナージカテーテルを有するオーバーチューブを用いて身体表面を刺すことによってなされる。切開がなされた後、オーバーチューブは、次いで、ドレナージカテーテルから分離され、このように、オーバーチューブは、ドレナージカテーテルを身体のその意図する位置に導くことに役立つ。
【０００５】
市販されている２種類のオーバーチューブが存在し、１つは格納式オーバーチューブであり、もう１つは分解または取り外しオーバーチューブである。格納型のオーバーチューブは一般に、内視鏡手術道具と共に使用され、二重層構造である。それは、外側層、および穿刺するためのピンを備える。穿刺がピンによりなされた後、ピンは格納し、次いでオーバーチューブの外側層は、他の手術道具（例えば、内視鏡またはドレナージカテーテル）を身体内に送達するための導管として機能する。分解または取り外し型のオーバーチューブに関して、一般に、必要な場合、特に手術の間、オーバーチューブが手術道具から完全に取り外され、分離され得るように、オーバーチューブを半分に分割できる内臓機構を有するように設計される。しかしながら、このような種類のオーバーチューブを製造するのに適した材料の選択は限られている。市販の分解型のオーバーチューブは、オーバーチューブを半分に容易に分割できる可撓性プラスチック材料によって製造されるが、可撓性の材料はまた、オーバーチューブにより身体表面に切開することが、不可能ではないにしても困難である。さらに、オーバーチューブを半分に分割するのに余分な力が必要とされ、多くの場合、不必要に切開が裂かれるか、または担当医師が、所定の位置に潅注チップを維持することが困難になる。
【発明の概要】
【発明が解決しようとする課題】
【０００６】
上記を考慮して、関連分野において、現在市販されているオーバーチューブに一般に関連している上述の問題のない改良されたオーバーチューブが必要とされる。
【課題を解決するための手段】
【０００７】
本発明の１つの目的は、傷口の洗浄プロセスの間、カテーテルの潅注チップと共に使用するための改良されたオーバーチューブ；および傷口の洗浄プロセスにおいて、望ましくない物質を体腔から無菌で除去し、体腔に流体を送達するためのカテーテルの潅注チップをその意図する位置に誘導する方法が提供される。
【０００８】
一態様において、本開示は、傷口の洗浄の間、潅注カテーテルの潅注チップと共に使用するためのオーバーチューブに関する。オーバーチューブは管状体を備え、管状体の一部は切断されており、管状体の前端部は、管状体の切断部から離れた方向においてテーパー状になっている。
【０００９】
本開示の一実施形態によれば、テーパー状の前端部は管状体に対して約１３０〜１７５度の角度である。
【００１０】
本開示の任意の実施形態によれば、オーバーチューブは、前記オーバーチューブ内に配置される隔壁をさらに備える。
【００１１】
本開示のいくつかの実施形態によれば、隔壁は、オーバーチューブ内に傾斜して配置される。
【００１２】
本開示のさらなる実施形態によれば、切断部を有する管状体は、円周の約１／３〜２／３である断面を有する。いくつかの好ましい実施形態において、断面は円周の約１／２である。
【００１３】
本開示の任意の実施形態によれば、オーバーチューブは、テーパー状の前端部の先端および隔壁を接続する貫通孔をさらに備える。
【００１４】
本開示の他の任意の実施形態によれば、オーバーチューブは、テーパー状の前端部の先端および傾斜した隔壁を接続する貫通孔をさらに備える。
【００１５】
本開示のさらに他の任意の実施形態によれば、オーバーチューブは、管状体の後端の外面の反対側にそれぞれ配置される２つの突出部をさらに備える。
【００１６】
本開示の好ましい実施形態によれば、オーバーチューブは、金属材料またはプラスチック材料から作製される一体成型品である。金属材料は、ステンレス鋼、チタン、およびステンレス鋼、チタンもしくはその両方を含む合金からなる群から選択され得る。プラスチック材料は、ポリプロピレン、ポリ塩化ビニルまたは高密度ポリエチレンからなる群から選択され得る。一例において、オーバーチューブは、チタンを含む合金から作製される一体成型品である。別の例において、オーバーチューブはステンレス鋼から作製される一体成型品である。さらに別の例において、オーバーチューブは、高密度ポリエチレンから作製される一体成型品である。
【００１７】
別の態様において、本開示は、傷口の洗浄のためのアセンブリに関する。アセンブリは、本開示のオーバーチューブと、潅注カテーテルの潅注チップとを備える。
【００１８】
本発明の詳細は、添付の図面を考慮して以下の詳細な説明を読んでより良く理解されるであろう。
【図面の簡単な説明】
【００１９】
【図１Ａ】本発明の一実施形態に係る、傷口の洗浄の間、潅注チップと共に使用するためのオーバーチューブを例示する概略図である。
【図１Ｂ】本発明の一実施形態に係る、傷口の洗浄の間、潅注チップと共に使用するためのオーバーチューブを例示する概略図である。
【図１Ｃ】本発明の一実施形態に係る、傷口の洗浄の間、潅注チップと共に使用するためのオーバーチューブを例示する概略図である。
【図２Ａ】本発明の別の実施形態に係る、傷口の洗浄の間、潅注チップと共に使用するためのオーバーチューブを例示する概略図である。
【図２Ｂ】本発明の別の実施形態に係る、傷口の洗浄の間、潅注チップと共に使用するためのオーバーチューブを例示する概略図である。
【図２Ｃ】本発明の別の実施形態に係る、傷口の洗浄の間、潅注チップと共に使用するためのオーバーチューブを例示する概略図である。
【図３Ａ】本発明のさらなる実施形態に係る、オーバーチューブのテーパー状の前端部を例示する概略図である。
【図３Ｂ】本発明のさらなる実施形態に係る、オーバーチューブのテーパー状の前端部を例示する概略図である。
【図３Ｃ】本発明のさらなる実施形態に係る、オーバーチューブのテーパー状の前端部を例示する概略図である。
【図４】本発明のオーバーチューブの別の実施形態を例示する。
【図５】本発明の一実施形態に係る、傷口の洗浄のためのアセンブリを例示する概略図である。
【図６】本発明の一実施形態に係る、オーバーチューブを用いて潅注チップを組織内のその意図する位置に誘導するプロセスを例示する概略図である。
【図７】本発明の一実施形態に係る、オーバーチューブを用いて潅注チップを組織内のその意図する位置に誘導するプロセスを例示する概略図である。
【図８】本発明の一実施形態に係る、オーバーチューブを用いて潅注チップを組織内のその意図する位置に誘導するプロセスを例示する概略図である。
【発明を実施するための形態】
【００２０】
同様の参照番号は添付の図面における同様の部分を指定するために使用される。
【００２１】
添付の図面と併せて以下に提供される詳細な説明は、本実施例の詳細と意図され、本実施例が構成または利用され得る形態のみを表すことを意図しているわけではない。説明は実施例の機能および実施例を構成し、実施するための工程の順序を記載している。しかしながら、同じまたは等価の機能および順序が異なる実施例によって達成されてもよい。
【００２２】
単数形「一つの（ａ）」、「および」ならびに「その」は、文脈が明確に他に示さない限り、複数の参照を含むように本明細書で使用される。
【００２３】
本発明の広範な範囲を示す数値範囲およびパラメータは近似であるにも関わらず、特定の例を示す数値が可能な限り正確に報告されている。しかしながら、任意の数値は、それぞれの試験測定値に見出される必然的に標準偏差から生じる特定の誤差を本質的に含む。また、本明細書に使用される場合、「約」という用語は、一般に、所与の値または範囲の１０％、５％、１％または０．５％以内を意味する。あるいは、「約」という用語は、当業者によって考慮される場合、平均の許容可能な標準誤差内であることを意味する。実施例を操作／作業すること以外に、または他に明確に特定しない限り、本明細書に開示される材料、時間、温度、操作条件、量の割合などの量についてのものなどの数値範囲、量、値および百分率の全ては、全ての場合、「約」という用語で修飾されることが理解されるべきである。したがって、反対に示されない限り、本開示および添付の特許請求の範囲に記載される数値パラメータは、所望の場合、変化されてもよい近似値である。少なくとも、各数値パラメータは、少なくとも報告された有効桁を考慮して、および通常の四捨五入を適用することによって解釈されるべきである。
【００２４】
本開示は、体腔から望ましくない物質を除去し、体腔に流体を送達するために、傷口の洗浄の間、カテーテルの潅注チップ（例えば、二重ルーメン（ｂｉ−ｌｕｍｅｎ）チップ）と共に使用するのに適したオーバーチューブを提供することを目的とする。オーバーチューブは、潅注チップを体腔に誘導するのに役立つことができ、一旦、潅注チップが体腔内のその意図する位置に到達すると、容易に除去でき、それにより傷口の洗浄（潅注）の効果を改善する。
【００２５】
図１Ａ〜１Ｃを参照すると、図１Ａおよび１Ｂは、本開示の一実施形態に係る、オーバーチューブ１００の概略図であり、図１Ｃは、傷口の洗浄のためのオーバーチューブ１００および潅注チップ１５０のアセンブリを示す概略図である。
【００２６】
この実施形態のオーバーチューブ１００は、その構造において、管状体１０４を備え、管状体１０４の一部は、傷口の洗浄プロセスの間、中に潅注カテーテルの潅注チップ１５０を受け入れるために切断されており（切断部を１０６として示す）（図１Ｃ）、管状体１０４の前端部１０２はテーパー状になっており、管状体１０４に対して鈍角Ａ（図１）であり、特に前端部１０２は、管状体１０４の切断部１０６から離れた方向においてテーパー状になっている（図１Ｂ）。テーパー状の前端部１０２は、体腔（例えば、膿瘍腔）の上の皮膚上などの身体の意図した部分で穿刺または切開するため、および体腔から望ましくない物質を除去するために潅注カテーテルの潅注チップ１５０を体腔内に誘導し、流体を体腔に送達するのに役立つように使用され得る。
【００２７】
一般に、オーバーチューブ１００のサイズは、管状体１０４の切断部１０６から潅注チップ１５０を中に受け入れ、潅注チップ１５０がその意図する位置にあると、オーバーチューブ１００が、潅注チップ１５０から分離され得るのに十分であるべきである。いくつかの実施形態によれば、オーバーチューブ１００は、約５〜２０ｍｍ、例えば、５、６、７、８、９、１０、１１、１２、１３、１４、１５、１６、１７、１８、１９および２０ｍｍ；好ましくは約５〜１０ｍｍ、例えば、５、６、７、８、９および１０ｍｍの内径を有する。さらに、オーバーチューブ１００は円周の約１／３〜２／３である断面を有する。好ましくは、オーバーチューブ１００の断面は円周の約１／２である。
【００２８】
図１Ａに示されるように、テーパー状の前端部１０２は管状体１０４に対して鈍角Ａである。いくつかの実施形態によれば、鈍角Ａは、約１３０〜１７５度、例えば、１３０、１３１、１３２、１３３、１３４、１３５、１３６、１３７、１３８、１３９、１４０、１４１、１４２、１４３、１４４、１４５、１４６、１４７、１４８、１４９、１５０、１５１、１５２、１５３、１５４、１５５、１５６、１５７、１５８、１５９、１６０、１６１、１６２、１６３、１６４、１６５、１６６、１６７、１６８、１６９、１７０、１７１、１７２、１７３、１７４および１７５度；好ましくは約１３５〜１７０度、例えば、１３５、１３６、１３７、１３８、１３９、１４０、１４１、１４２、１４３、１４４、１４５、１４６、１４７、１４８、１４９、１５０、１５１、１５２、１５３、１５４、１５５、１５６、１５７、１５８、１５９、１６０、１６１、１６２、１６３、１６４、１６５、１６６、１６７、１６８、１６９および１７０度である。
【００２９】
任意の実施形態によれば、本開示のオーバーチューブ１００は、特に管状体１０４のテーパー状の前端部１０２と切断部１０６との間で、オーバーチューブ１００内に配置される隔壁１０８をさらに備えてもよい（図１Ｃ）。
【００３０】
傷口の洗浄を開始する前に、潅注カテーテルの潅注チップ１５０は切断部１０６から管状体１０４内に挿入され、次いで、ユーザが、オーバーチューブ１００のテーパー状の前端部１０２を用いて身体の意図する位置に切開または穿刺することを試みる場合、適所に潅注チップ１５０を保持するように潅注チップ１５０は隔壁１０８に対して押される。
【００３１】
任意の実施形態において、ガイドワイヤが、潅注チップ１５０をその意図する位置に誘導するのに役立つように使用されてもよく、したがって、いくつかの任意の実施形態において、オーバーチューブ１００は、テーパー状の前端部１０２の先端および隔壁１０８を接続し、ガイドワイヤが貫通できる貫通孔（図示せず）をさらに備える。
【００３２】
図２Ａおよび２Ｂは、本開示のオーバーチューブ２００の別の実施形態を示す概略図であり、図２Ｃは、傷口の洗浄プロセスに使用するためのオーバーチューブ２００および潅注チップ２５０のアセンブリを示す。
【００３３】
上記のオーバーチューブ１００と同様に、オーバーチューブ２００はテーパー状の前端部２０２および管状体２０４を有し、管状体２０４の一部は、切断され（切断部を２０６として示す）；テーパー状の前端部２０２は、管状体２０４に対して鈍角Ａ’であり、特に、前端部は、管状体２０４の切断部２０６から離れた方向においてテーパー状になっている（図２Ａ）。図２Ａおよび２Ｂに示すように、管状体２０４のテーパー状の前端部２０２は、管状体２０４に対して１８０度である。
【００３４】
いくつかの任意の実施形態によれば、本開示のオーバーチューブ２００は、オーバーチューブ２００内に配置される隔壁２０８をさらに備えてもよく、特に、隔壁２０８は傾斜して配置され、管状体２０４の片側（Ｗ）に対して角度Ｂである（図２Ｃ）。いくつかの実施形態によれば、角度Ｂは、約５〜９０度、例えば、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９および９０度；好ましくは約１０〜８５度、例えば、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４および８５度であってもよい。傾斜した隔壁２０８は、潅注チップ２５０が適切な位置（例えば、膿瘍腔）に挿入されると、オーバーチューブ２００およびその中に受け入れられる潅注チップ２５０を容易に分離できるように設計され、潅注チップ２５０をその位置に保持しながら、ユーザは、傾斜した隔壁２０８に対してオーバーチューブ２００を徐々に押すことができ、それにより潅注チップ２５０は管状体２００の切断部２０６からスライドでき、オーバーチューブ２００は潅注チップ２５０から分離される。
【００３５】
任意の実施形態によれば、ガイドワイヤが、潅注チップ２５０をその意図する位置（例えば、膿瘍腔）に誘導するのに役立つように使用され得、したがって、いくつかの任意の実施形態において、オーバーチューブ２００は、ガイドワイヤを貫通して挿入できる、テーパー状の前端部２０２と隔壁２０８との間に配置される貫通孔（図示せず）をさらに備えてもよい。
【００３６】
上記のように、本開示のオーバーチューブのテーパー状の前端部は、身体の意図する位置に穿刺または切開するために使用されてもよく、したがって、いくつかの実施形態において、テーパー状の前端部は、このような目的のためにブレードを備えるように設計される。
【００３７】
ここで図３Ａ〜３Ｃを参照すると、管状体３０４および身体の意図する位置に切開するための少なくとも１つのブレードを有するテーパー状の前端部３０２を備えるオーバーチューブ３１０が示される。
【００３８】
図３Ａは、オーバーチューブ３１０の概略図であり、オーバーチューブ３１０は、管状体３０４および２つのブレード（３０８ａ、３０８ｂ）を有するテーパー状の前端部３０２を備え、２つのブレードは、それぞれ、前端部３０２の片側に沿って配置される。任意に、テーパー状の前端部３０２は、図３Ｂに示されるように３つのブレード（３０８ａ、３０８ｂおよび３０８ｃ）；または図３Ｃに示されるように交差するように配置される４つのブレード（３０８ａ、３０８ｂ、３０８ｃおよび３０８ｄ）などの多くのブレードを備えてもよい。
【００３９】
図４は、本開示のオーバーチューブ４００の別の任意の実施形態を示す。この任意の実施形態において、オーバーチューブ４００は、その構造において、テーパー状の前端部４０２の先端に配置される貫通孔４１０および２つの突出部（４６０ａ、４６０ｂ）をさらに備える。貫通孔４１０はガイドワイヤを通すことができ、それによりユーザが潅注チップをその意図する位置に誘導するのに役立つ。好ましくは、貫通孔４１０は、約１〜５ｍｍ、例えば、１、２、３、４および５ｍｍの内径を有する。２つの突出部（４６０ａ、４６０ｂ）は管状体４０４の後部の外面の反対側に配置され、ユーザがオーバーチューブ４００をきつく把持することができるように設計される。オーバーチューブ４００の滑らかおよび滑りやすい表面で把持する代わりに、ユーザは、２本の指でそれぞれ２つの突出部（４６０ａ、４６０ｂ）にてオーバーチューブ４００を保持できる。
【００４０】
概して、本開示のオーバーチューブは金属またはプラスチック製の一体成型品である。いくつかの実施形態において、オーバーチューブは、ステンレス鋼、チタン、およびチタン、ステンレス鋼またはその両方を含む合金からなる群から選択される金属材料から作製される。他の実施形態において、オーバーチューブは、ポリプロピレン、ポリ塩化ビニルおよび高密度ポリエチレンからなる群から選択されるプラスチック材料から作製される。一例において、オーバーチューブは、チタンを含む合金から作製される一体成型品である。別の例において、オーバーチューブは、ステンレス鋼から作製される一体成型品である。別の例において、オーバーチューブは、高密度ポリエチレンから作製される一体成型品である。オーバーチューブが金属材料から作製される場合、それは滅菌後に再使用されてもよい。オーバーチューブがプラスチック材料から作製される場合、それは各使用の後に処分されてもよい。
【００４１】
本開示のさらなる目的は、図５に示される、傷口の洗浄のための潅注アセンブリ５０１を提供することである。潅注アセンブリ５０１は、オーバーチューブ５００、および潅注カテーテルの二重ルーメンチップ５５０から構成される。二重ルーメンチップ５５０は、国際公開第２０１２１５１７５１に開示されているように潅注目的に適した任意の二重ルーメンチップであってもよく、その全体の開示は参照により本明細書に組み込まれる。潅注プロセスを開始する前に図５に示されるように、二重ルーメンチップ５５０は、二重ルーメンチップ５５０を管状体５０４の切断部５０６からオーバーチューブ５００内に挿入することによってオーバーチューブ５００と共に組み立てられる。一旦、二重ルーメンチップ５５０が誘導され、その意図する位置（例えば、膿瘍腔）に到達すると、アセンブリは、二重ルーメンチップ５５０から離れてオーバーチューブ５００を押すことによって分解され、それにより、二重ルーメンチップ５５０が、管状体５０４の切断部５０６からスライドして出されることが可能となる。
【００４２】
ここで図６〜８を参照すると、図１のオーバーチューブ１００を使用した傷口の洗浄プロセスを示す。
【００４３】
傷口の洗浄を開始する前に、オーバーチューブ１００は、管状体１０４の切断部１０６からオーバーチューブ１００内に二重ルーメンチップ１５０（これは潅注システム（図示せず）に接続される）を挿入することによって潅注カテーテルの二重ルーメンチップ１５０と共に最初に組み立てられる。次いで、その場所に二重ルーメンチップ１５０を保持しながら、切開を行う意図した身体位置（Ｍとして示す）が、オーバーチューブ１００のテーパー状の前端部１０２を使用して穿刺または突き刺され；次いで二重ルーメンチップ１５０は、その意図する位置（Ｐとして示される）に到達するまで切断組織（Ｔにより示される）内に押される（図７）。二重ルーメンチップ１５０が、組織内のその位置（例えば、膿瘍腔）にあると、オーバーチューブ１００は、二重ルーメンチップ５５０から離れて押され、それにより二重ルーメンチップ１５０は、管状体１０４の切断部１０６からスライドして出ることができる。この段階で、二重ルーメンチップ１５０はその場所にあり、次いで傷口の洗浄プロセスが、関連分野における当業者によって一般に知られている吸引−潅注システムを使用することによって創腔から望ましくない身体の残屑または流体を除去し始め得る。
【００４４】
本開示のオーバーチューブは、任意の従来の潅注システムの潅注チップと共に使用するための特有および有用な手段および／または望ましくない物質の排出および医療用流体の送達が最小の複雑性で要求される条件についての方法を提供する。
【００４５】
上述の実施形態は例のみとして与えられ、種々の修飾が当業者によりなされてもよいことは理解される。例えば、第１および第２のルーメンを有する二重ルーメンチップは一方の端部に対してテーパー状になってもよく、他方の端部において分岐し、それにより二重ルーメンチップの２つのルーメンは、穿刺する端部において共通のルーメン壁を共有し、分岐した端部において分離したままである。吸引−潅注プロセスの間、二重ルーメンチップの穿孔する端部は、患者の体腔内に挿入されるのに対して、２つのルーメンが分離したままである分岐した端部はそれぞれ、適切なカテーテルを通して吸引装置および流体送達装置に接続され、それにより体腔から望ましくない物質を除去し、体腔に流体を送達するための潅注システムを形成する。上記の明細書、実施例およびデータは、本発明の構造の完全な詳細および例示的な実施形態の使用を提供する。本発明の種々の実施形態は、特定の程度の特殊性で、または１つ以上の個々の実施形態を参照して記載されているが、当業者は、本発明の精神または範囲から逸脱せずに開示された実施形態に対する多くの変更を行うことができる。
【図１Ａ】
2015171530.tif 000003
【図１Ｂ】
2015171530.tif 000004
【図１Ｃ】
2015171530.tif 000005
【図２Ａ】
2015171530.tif 000006
【図２Ｂ】
2015171530.tif 000007
【図２Ｃ】
2015171530.tif 000008
【図３Ａ】
2015171530.tif 000009
【図３Ｂ】
2015171530.tif 000010
【図３Ｃ】
2015171530.tif 000011
【図４】
2015171530.tif 000012
【図５】
2015171530.tif 000013
【図６】
2015171530.tif 000014
【図７】
2015171530.tif 000015
【図８】
2015171530.tif 000016
【外国語明細書】
2015171530000001.pdf
2015171530000002.pdf
2015171530000003.pdf
2015171530000004.pdf